【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
サービス情報をユーザーに入力させるための画面を表す入力画面情報を用いて前記サービス情報を入力する前記ユーザー毎の第１装置と、前記入力画面情報を提供する第２装置とを備え、
前記第１装置は、
前記入力画面情報に対する前記サービス情報の入力を受付ける受付手段と、
前記受付手段で受付けられた前記サービス情報を前記ユーザー毎に当該ユーザーを識別する識別情報と共に前記第２装置に送信する第１送信手段と、
前記第１送信手段で送信した前記サービス情報に含まれる前記ユーザーが摂取した食事に関する摂取情報に対応する摂取エネルギー情報を前記第２装置から受信する第１受信手段と、
前記第１受信手段で受信された前記摂取エネルギーを用いて、前記ユーザーの血糖値の時系列変化を予測した予測血糖値曲線を算出する算出手段と、
前記算出手段で算出された前記予測血糖値曲線を出力する出力手段とを有し、
前記第２装置は、
前記サービス情報を前記第１装置から受信する第２受信手段と、
前記第２受信手段によって受信された前記サービス情報を前記識別情報と共に蓄積する蓄積手段と、
前記第２受信手段で受信された前記摂取エネルギー情報を前記蓄積手段に蓄積されている前記サービス情報に基づいて特定する特定手段と、
前記特定手段によって特定された前記摂取エネルギー情報を前記第１装置へ送信する第２送信手段とを有する
ことを特徴とする血糖値予測システム。
【請求項２】
前記摂取情報は、前記ユーザーが摂取した食事内容を含み、
前記蓄積手段は、前記ユーザー毎の属性を示す属性情報をさらに蓄積し、
前記特定手段は、前記蓄積手段に蓄積されたデータ群から前記摂取情報を送信したユーザーの属性情報と対応するデータ群を抽出し、抽出したデータ群に基づいて前記摂取情報の前記食事内容に対する摂取エネルギー情報を特定する
ことを特徴とする請求項１に記載の血糖値予測システム。
【請求項３】
前記摂取情報は、前記ユーザーが食事を摂取したときの環境を示す環境情報と食事内容とを含み、
前記特定手段は、前記蓄積手段に蓄積されたデータ群から前記摂取情報の前記環境情報と前記食事内容とに対応するデータ群を抽出し、抽出したデータ群に基づいて前記摂取情報の前記食事内容に対応する摂取エネルギー情報を特定する
ことを特徴とする請求項１又は２に記載の血糖値予測システム。
【請求項４】
ユーザーのサービス情報を受付ける受付手段と、
前記受付手段で受付けられた前記サービス情報を前記ユーザーを識別する識別情報と共に送信する送信手段と、
前記送信手段で送信した前記サービス情報に含まれる前記ユーザーが摂取した食事に関する摂取情報に対応する摂取エネルギー情報を受信する受信手段と、
前記受信手段で受信された前記摂取エネルギーを用いて、前記ユーザーの血糖値の時系列変化を予測した予測血糖値曲線を算出する算出手段と、
前記算出手段で算出された前記予測血糖値曲線を出力する出力手段と
を有することを特徴とする血糖値予測装置。
【請求項５】
ユーザーが摂取した食事に対応する第１摂取エネルギー情報を受付手段から受付ける第１モードと、前記ユーザーが入力したサービス情報を前記ユーザーを識別する識別情報と共に送信手段が送信する第２モードと、のいずれかを選択する選択手段と、
前記ユーザーが前記第２モードを選択した場合に、前記送信手段で送信した前記サービス情報に対応する第２摂取エネルギー情報を受信する受信手段と、
前記第１摂取エネルギー情報または前記第２摂取エネルギー情報を用いて、前記ユーザーの血糖値の時系列変化を予測した予測血糖値曲線を算出する算出手段と、
前記算出手段で算出された前記予測血糖値曲線を出力する出力手段と
を有することを特徴とする血糖値予測装置。
【請求項６】
前記第２摂取エネルギー情報を用いて前記ユーザーの血糖値の時系列変化を予測した予測血糖値曲線を算出したのちに、前記第１モードで前記第１摂取エネルギー情報を取得した場合には、前記第１摂取エネルギー情報を用いて前記予測血糖値曲線を算出する
ことを特徴とする請求項４または５に記載の血糖値予測装置。
【請求項７】
前記摂取エネルギー情報は、少なくとも食事タイミング情報と食事内容を表す情報とを含む
ことを特徴とする請求項４〜６のいずれか一項に記載の血糖値予測装置。
【請求項８】
前記ユーザーが入力した前記サービス情報を前記ユーザーを識別する識別情報と共に受信する受信手段と、
前記サービス情報を前記識別情報と共に蓄積する蓄積手段と、
前記サービス情報に含まれる前記ユーザーが摂取した食事に関する摂取情報に対応する摂取エネルギー情報を前記蓄積手段に蓄積されている前記サービス情報に基づいて特定する特定手段と、
前記特定手段によって特定された前記摂取エネルギー情報を送信する送信手段と
を有することを特徴とするサービス情報処理装置。
【請求項９】
前記摂取情報は、前記ユーザーが摂取した食事内容を含み、
前記蓄積手段は、前記ユーザー毎の属性を示す属性情報をさらに蓄積する
ことを特徴とする請求項８に記載のサービス情報処理装置。
【請求項１０】
前記特定手段は、前記蓄積手段に蓄積されたデータ群から前記摂取情報を送信したユーザーの属性情報と対応するデータ群を抽出し、抽出したデータ群に基づいて前記摂取情報の前記食事内容に対する摂取エネルギー情報を特定する
ことを特徴とする請求項８または９に記載のサービス情報処理装置。
【請求項１１】
前記摂取情報は、前記ユーザーが食事を摂取したときの環境を示す環境情報と食事内容とを含み、
前記特定手段は、前記蓄積手段に蓄積されたデータ群から前記摂取情報の前記環境情報と前記食事内容とに対応するデータ群を抽出し、抽出したデータ群に基づいて前記摂取情報の前記食事内容に対応する摂取エネルギー情報を特定する
ことを特徴とする請求項８〜１０のいずれか一項に記載のサービス情報処理装置。
【手続補正２】
【補正対象書類名】明細書
【補正対象項目名】発明の名称
【補正方法】変更
【補正の内容】
【発明の名称】血糖値予測システム、血糖値予測装置、及びサービス情報処理装置
【手続補正３】
【補正対象書類名】明細書
【補正対象項目名】００３９
【補正方法】変更
【補正の内容】
【００３９】
次に、サーバー３０の制御部３１０の機能構成について説明する。図７は、制御部３１０を中心とする機能構成図を示している。制御部３１０は、受信データ解析部３１１、データ抽出部３１２、及びカロリー特定部３１３を含む。
【手続補正４】
【補正対象書類名】明細書
【補正対象項目名】００４０
【補正方法】変更
【補正の内容】
【００４０】
受信データ解析部３１１は、通信部３２０が受信した、解析サービスを利用するユーザ
ーの日記の入力画面（以下、日記入力画面と称する）に対するデータ（以下、日記データと称する）について形態素解析、構造解析や意味解析等の解析処理を行い、予め抽出対象となる文字列として定義された食品名、料理名、献立等の文字列（以下、抽出対象文字列と称する）と一致する文字列が含まれている場合に、その文字列をユーザーが摂取した食事に関する情報（以下、摂取情報と称する）として抽出する。
【手続補正５】
【補正対象書類名】明細書
【補正対象項目名】００４７
【補正方法】変更
【補正の内容】
【００４７】
図７に戻り、説明を続ける。カロリー特定部３１３は、データ抽出部３１２で抽出されたカロリー情報に基づいて、日記データにおける摂取情報と対応するカロリーを特定し、特定したカロリーを日記データに対する摂取カロリー情報として通信部３４０へ送出する。
例えば、上述の例において、カロリー情報として、ユーザーＩＤ１２１の「７００ｋｃａｌ」が抽出された場合には、ユーザーＩＤ１０２のユーザーの属性情報が、解析対象ユーザーの属性情報と一定の条件下で一致する場合に、ユーザーＩＤ１２１のカロリー情報を用いてカロリーを特定する。属性情報が一致する条件としては、例えば、解析対象ユーザーの属性情報の性別と一致するカロリー情報を用いることを条件としてもよいし、当該ユーザーの年齢との差が予め定められた閾値内であるカロリー情報を用いることを条件としてもよい。また、身長と体重とを用いて算出される解析対象ユーザーのＢＭＩ値との差が予め定められた閾値内であるカロリー情報を用いることを条件としてもよいし、複数の条件を組合わせてもよい。
【手続補正６】
【補正対象書類名】明細書
【補正対象項目名】００４９
【補正方法】変更
【補正の内容】
【００４９】
本実施形態に係るサーバー３０の制御部３１０の機能構成は以上の通りである。次に、血糖値予測システム１の動作について説明する。
（動作）
図９は、本実施形態における血糖値予測装置１０の全体動作を示す動作フローを示している。なお、以下の動作説明において、図８（ａ）のサービス利用者情報３３１ａにおけるユーザーＢがＳＮＳサービスを利用して摂取カロリー情報をサーバー３０から取得する例を説明する。また、血糖値予測装置１０における摂取エネルギーの取得モードとして、サーバーモードが予め記憶部１４０内に設定されているものとする。